(57)【要約】【課題】  集客力及び売上を増加させることができるネットショッピングシステムを提供することである。【解決手段】  ショップサイト２上で商品の売買を行うネットショッピングシステム１において、ショップサイト２への商品の掲載権を所定の単位時間毎に設定する掲載権設定手段７と、掲載権を取得した出品者３が、掲載権を取得した所定の単位時間内において、通常価格よりも値引きした目玉商品を含む複数種類の商品をショップサイト２に掲載する商品掲載手段と、ショップサイト２にアクセスするための会員登録をした登録会員４に対して、目玉商品の掲載の予告情報を提供する情報提供手段とを備えた。【選択図】  図１
2007122322.tif 000002
【特許請求の範囲】
【請求項１】
ショップサイト上で商品の売買を行うネットショッピングシステムにおいて、
ショップサイトへの商品の掲載権を所定の単位時間毎に設定する掲載権設定手段と、
前記掲載権を取得した出品者が前記掲載権を取得した所定の単位時間内において、通常価格よりも値引きした目玉商品を含む複数種類の商品をショップサイトに掲載する商品掲載手段と、
前記ショップサイトにアクセスするための会員登録をした会員に対して、前記目玉商品の掲載の予告情報を提供する情報提供手段とを備えたことを特徴とするネットショッピングシステム。
【請求項２】
複数の出品者の商品をカテゴリ別に分類する分類手段を備え、商品のカテゴリ別に前記所定の単位時間が設定されることを特徴とする請求項１に記載のネットショッピングシステム。
【請求項３】
前記ショップサイトに対して、携帯電話でアクセス可能なことを特徴とする請求項１又は２に記載のネットショッピングシステム。
【請求項４】
商品の売買の代わりに、役務の提供を行うことを特徴とする請求項１〜３のうちのいずれかに記載のネットショッピングシステム。
【発明の詳細な説明】
【技術分野】
【０００１】
本発明は、パーソナルコンピュータや携帯電話などの、インターネットに接続可能な機器を利用して、インターネット上に開設されたネットショップサイト（仮想店舗）で商品を購入するネットショッピングシステムに関するものである。
【背景技術】
【０００２】
インターネット上に開設されたホームページに商品（商品の写真等）を展示し、閲覧者に購入してもらうネットショッピングシステム（電子商取引）を利用すると、実際に店舗を構えるよりも格段に小さな資金で誰もが容易に開店することができる。
昨今は、自分でホームページを開設しなくても、ネットショップ用にカスタマイズされた他人（他社）のホームページを借りることでネットショップを開設することができるので、インターネットやホームページを開設するための知識がなくても、手軽にネットショップを開設することができるようになってきた。
しかし、ネットショップの開設が容易になっても、商品の販売を促進するためには別の工夫が必要であり、売上を増加させる目的で、例えば特許文献１に開示されている電子商品取引システムが提案されている。
【特許文献１】特開２００２−２６９４２２号公報
【発明の開示】
【発明が解決しようとする課題】
【０００３】
特許文献１に開示された電子商品取引システムは、通信量が比較的少なくなったときに商品の価格を通常価格よりも値引きするタイムサービスを実施し、タイムサービスが実施されていることをユーザ（商品購入希望者）に通知するように構成されている。
しかし、インターネットの通信量を監視し、混雑していない時間帯にタイムサービスを実施しても、その時間帯とは、例えば深夜などの生活習慣上アクセスしにくい時間帯であったりするので、余程大きな値引きをしない限り、集客力をアップさせることはできない。
そこで本発明は、集客力及び売上を増加させることを課題とし、集客力及び売上を増加させることができるネットショッピングシステムを提供することを目的としている。
【課題を解決するための手段】
【０００４】
上記課題を解決するため、請求項１の発明では、ショップサイト上で商品の売買を行うネットショッピングシステムにおいて、ショップサイトへの商品の掲載権を所定の単位時間毎に設定する掲載権設定手段と、前記掲載権を取得した出品者が前記掲載権を取得した所定の単位時間内において、通常価格よりも値引きした目玉商品を含む複数種類の商品をショップサイトに掲載する商品掲載手段と、前記ショップサイトにアクセスするための会員登録をした会員に対して、前記目玉商品の掲載の予告情報を提供する情報提供手段とを備えた。
当該所定の単位時間内において、次回の掲載権を取得した単位時間内に販売する目玉商品の予告情報を、同時に掲載することもできる。
【０００５】
請求項２の発明は、請求項１のネットショッピングシステムの発明において、複数の出品者の商品をカテゴリ別に分類する分類手段を備え、商品のカテゴリ別に前記所定の単位時間が設定されるようにした。
【０００６】
請求項３の発明は、請求項１又は２のネットショッピングシステムの発明において、前記ショップサイトに対して、携帯電話でアクセス可能にした。携帯電話によるインターネットアクセス機能を利用する。
【０００７】
請求項４の発明は、請求項１〜３のうちのいずれかのネットショッピングシステムの発明において、商品の売買の代わりに、役務の提供を行うようにした。役務としては、例えば、機器に蔓延るウェイルスの割安な検索及び駆除サービスや、割安な引っ越しサービス、割安な車検サービス等、様々なものが適用可能である。これらのサービスと共に、例えばオプションとして付加サービス（通常価格のサービス）を選択可能にすることもできる。
【発明の効果】
【０００８】
請求項１の発明では、ショップサイトへの商品の掲載権を所定の単位時間毎に設定する掲載権設定手段を備えたので、単位時間毎に商品の掲載権を設定することができる。また、掲載権を取得した出品者が掲載権を取得した所定の単位時間内において、通常価格よりも値引きした目玉商品を含む複数種類の商品をショップサイトに掲載する商品掲載手段を備えたので、目玉商品と出品者が意図した商品とを、掲載権を取得した所定の単位時間内に限り、ショップサイトに掲載することができる。さらに、ショップサイトにアクセスするための会員登録をした会員（登録会員）に対して、目玉商品の掲載の予告情報を提供する情報提供手段を備えたので、登録会員は予め目玉商品が掲載されることを知ることができる。
【０００９】
時間限定の販売なので、目玉商品を購入できなかった登録会員も、目玉商品以外の商品を、割安感を覚えて購入することができる。また、出品者は、目玉商品を目当てにした登録会員が、目玉商品以外の商品を目にすることにより、売上の増加を期待することができる。
【００１０】
これらの構成を備えることにより、出品者が掲載権を取得した所定の単位時間内の当該ショップサイトへの登録会員によるアクセス数が増加し、アクセス数の増加と比例して目玉商品以外の商品の売上の増加を期待することができる。
【００１１】
又、仕事等の関係で、リアルワールドではお買い得商品を手に入れることができなかった人でも、本発明を実施したネットショッピングシステムを利用することにより、目玉商品を入手する機会を得ることができる。
【００１２】
さらに、本発明を実施したネットショッピングシステムを利用すると、購買者が定着し易くなり、購買者は、よい商品を入手し易くなり、出品者（販売者）は、商品の在庫を減少させることができる。
【００１３】
請求項２の発明では、複数の出品者の商品が、同時期にカテゴリ別にショップサイトに掲載されるので、登録会員はショップサイトにアクセスした際に、所望する商品を同じカテゴリの別の商品と比較検討して購入することができる。
また、出品者は、このような登録会員の所作により、登録会員が、当初は購入を考えていなかった商品を購入する機会が増えるので、売上を伸ばすことができる。
【００１４】
請求項３の発明では、このショップサイトに対して、携帯電話でアクセスできるようにした。携帯電話のユーザ数は、パーソナルコンピュータのユーザ数よりも多いので、多数の会員を集め易く、また、携帯電話は小さく持ち運びが便利であり、いつでもどこでもショップサイトにアクセスすることができるので、ショップサイトへのアクセス数を増加させることができる。従って、アクセス数に比例して、売上の増加を期待することができるようになる。
【００１５】
請求項４の発明では、商品の売買の代わりに、役務の提供を行うようにしたので、掲載内容を多様化し、会員の様々なニーズに応えることができ、売上の増加を期待することができるようになる。
【発明を実施するための最良の形態】
【００１６】
図１は、本発明のネットショッピングシステム１の概念図である。また、図６は、図１のネットショッピングシステム１とは構成が一部相違するネットショッピングシステム１０の概念図である。インターネット５上に開設されたネットショップ（ショップサイト）は、ウェブサーバ２によって運営されている。ウェブサーバ２は、種々のデータを記録することができる記録媒体６（主としてハードディスク等の大容量記録媒体）と、構築されたショップサイトに関するプログラム類及びデータ類（図示せず）と、これらのプログラム類を実行する演算手段７（ＣＰＵ）とを備えている。
【００１７】
ウェブサーバ２は、インターネット５に常時接続されており、パーソナルコンピュータ及び／又は携帯電話からアクセス可能なショップサイトを公開している。このショップサイトは、サイト上で商品の売買を行うことができるショッピング機能を備えており、後述する登録された商品を掲載することができる。その際、販売する商品の中に、大幅に値引きした商品（目玉商品）を必ず掲載することが、このショップサイトのルール（掲載条件）として定められている。目玉商品は、例えば通常の販売価格に対して５０％以上値引きすることが義務づけられる。
【００１８】
図１において、出品者３（商品の販売者）は、インターネット５に接続可能で、且つ、ウェブサーバ２にアクセス可能なパーソナルコンピュータ等を備えている。また、登録会員４（商品の購買者）は、ウェブサーバ２（ショップサイト）にアクセス可能なパーソナルコンピュータや携帯電話を備えている。
【００１９】
次に、これらウェブサーバ２、出品者３及び登録会員４の間で行われるデータのやりとりを、図２及び図３を参照しながら説明する。図２は、本発明のネットショッピングシステム１の作業手順の流れ図である。図３は、ショップサイト２に掲載する商品のデータの一覧表である。
【００２０】
商品の販売者である出品者３が、販売を希望する商品を、ウェブサーバ２を利用して販売する。その際、目玉商品とその価格及び数量と共に、その他の商品とその価格及び数量を、インターネット５を介してウェブサーバ２へ送信する。
【００２１】
図２の手順１において、ウェブサーバ２は、出品者３から送られた商品データを受け取り、手順２で商品データを記録媒体６に記録し、手順３において、図３に示す掲載商品データ（商品の価格と数量及び掲載期間）を作成する。
【００２２】
図４は、ショップサイト（ウェブサーバ２）に、掲載を申し込んだ出品者（Ａ社〜Ｊ社）の商品データの一覧表である。図４の一覧表では、ショップサイトが掲載依頼を受け付けた順に商品及び出品者が記録されている。したがって、カテゴリ毎には分類されていない。演算手段７（分類手段）は、これを図５に示すようにカテゴリ別に分類する。図５は、ショップサイトが受け付けた商品（出品者）を、カテゴリ別に分類した一覧表である。
【００２３】
ウェブサーバ２の演算手段は、カテゴリ別に商品を所望する購買者が最もアクセスし易いと思われる各々の時間帯に、カテゴリ毎に掲載するべく掲載権を設定する。例えば、ブランド鞄は、Ａ社とＢ社とが出品しており、Ａ社とＢ社が出品した商品のメーカが異なっていても、ターゲットとなる購買層が、頻繁にアクセスする時間帯が１９：００以降であるのであれば、掲載時間は１９：００〜２０：００に設定する。
【００２４】
同様に、カテゴリ別に宝石やブランド服等についても、掲載時間を設定する。図５の例では、宝石は２０：００〜２１：００の間に掲載されるように設定されている。また、ブランド服は、２１：００〜２２：００の間に掲載されるように設定されている。図４及び図５に示す商品は、各出品者共に３つずつとなっているが、大幅に値引きした目玉商品が含まれていれば、３つに限るものではない。
【００２５】
各出品者（Ａ社〜Ｊ社）が出品する「商品１」、「商品２」及び「商品３」のうち、「商品１」が目玉商品となっている。少数の「商品１」（目玉商品）と、多数の「商品２」及び「商品３」とが出品されている。「商品１」で集客し、「商品１」よりも値引きが少ない「商品２」及び「商品３」の売上で利益を上げる。
【００２６】
商品（例えば有名ブランドの鞄や、服、宝石等）を購入する購買者（登録会員４）が、ショップサイトにアクセスする余裕がある時間帯を、そのカテゴリ毎に予めアンケート等を実施して把握しておくのが好ましい。アンケートの結果、例えば宝石を最も購入する年齢層がショップサイトにアクセスし易い時間帯が、２０：００以降であれば、宝石の掲載権は、２０：００〜２１：００に設定するのが好ましい。また、主婦、社会人、学生等によって、人気カテゴリも異なるので、ターゲットとなる購買者層に応じて事前にアンケートを実施して状況把握しておくのが好ましい。
【００２７】
掲載権が設定されたら、演算手段７（図１）によって、掲載商品データから掲載内容データが作成される（図２の手順３）。図３に示すように、掲載内容データは、概ね掲載商品データと同じであるが、数量は、商品の売れ行きに対応させて「残り数量」とするのが好ましい。価格表示については、割安感を感じさせるために、定価に対する売値を表示することもできるが、必ずしも定価は表示する必要はない。
【００２８】
掲載期間は、掲載商品データでは、固定した変化しない時間帯(例えば、２０：００〜２１：００という期間そのもの)を示すが、掲載内容データでは、カウントダウン表示（例えば現在時刻と、残り掲載時間とを表示）するようにする。カウントダウン形式で表示すると、当該ショップサイトへアクセスした登録会員４は、無駄な時間を費やすことなく計画的に買い物をすることができる。また、制限時間を視覚的に表示することにより、購買者の購入意欲を煽ることができ、販売者は、売上を伸ばすことができる。
【００２９】
以上により、ショップサイトに商品を掲載する準備が整ったが、次に、手順４に示すように、ウェブサーバ２（ショップサイト）に会員登録した登録会員４へ、目玉商品が販売される旨を伝えるＥメールを送信する（情報提供手段）。例えば、商品の掲載内容と掲載期間が設定されると、演算手段７（図１）が、ウェブサーバ２のショップサイトを構成するプログラムを実行して、登録会員４にＥメールを送信するようにする。登録会員４は、このＥメールによって、自分が興味をもつカテゴリの商品が、安値で販売されることを事前に知ることができる。そして、掲載時期が来ると、ショップサイト上に、掲載権が設定された商品が掲載される（図２の手順５）。
【００３０】
さらに、図５の例では、２００５年９月１０日の１９：００〜２０：００、２０：００〜２１：００及び２１：００〜２２：００と１時間単位で掲載時間を設定しているが、これを３０分単位あるいはこれ以外の長さの時間単位とすることもできる。そして、掲載時間が過ぎると、ウェブサーバ２のプログラムは、自動的にショップサイトから当該商品の掲載を外し、次の時間帯の商品を掲載する。又は、商品の掲載が設定されていなければ、当該時間帯は掲載される商品がないため、売買をできなくする。
【００３１】
以上のように、ショップサイトが、複数の出品者から出品を集ってカテゴリ別に分類し、分類したカテゴリ毎に掲載時期を設定するので、出品者が独自にショップサイトを構築して商品を販売するよりも、品揃えが豊富になり、購買者の購買意欲を煽ることができる。購買者（登録会員４）は、目玉商品を目当てにショップサイトにアクセスするが、たとえ既に目玉商品が完売状態であったとしても、他の商品（他の出品者の類似商品等）を閲覧する機会を得ることができる。
【００３２】
カテゴリ毎の掲載時間の設定は、ショップサイト運営者が行う。そしてショップサイト運営者は、出品者３に対して、設定した掲載時間内に商品を掲載する権利を販売する。この手法は、従来にはなかったものであり、本発明は、上述の構成を備えることにより、従来にはなかった手法で商品の売上を伸ばす（または、在庫を処分する）ことができる。
【００３３】
商品（種類）は多岐に渡って掲載することができるが、商品と当該商品のカテゴリとを関連付けるマップを予め作成しておき、このマップを記録手段６に記録しておくのが好ましい。さらにこのマップに、カテゴリ毎に、購買層（社会人、学生、主婦等）がアクセスし易い時間帯情報も記録しておくと、出品者３から商品の出品依頼を受けると、速やかに掲載権を設定することができるようになる。ウェブサーバ２に備えたプログラムによって、この処理を自動的に行うことも可能である。
【００３４】
また、上述の例では、カテゴリ別に商品の掲載時間をショップサイト側が設定するようにしたが、いずれの商品の掲載も予定されていない時間帯に、出品者３が希望して掲載権を取得するようにすることもできる。いずれの商品の掲載も予定されていない空き時間なので、掲載権の設定料は、安くする。安く設定したとしても、元々空き時間なので、ショップサイト運営者も儲けることができ、出品者３も、通常よりも安価に掲載権を得ることができる。
【００３５】
ショップサイトは、購買者が、容易に買い物ができるように、商品の画像データや商品名、価格、残り数量等を見やすくレイアウト表示し、購入ボタン（タブ）を用意して、ワンタッチで購入することができるように画面表示を工夫する。これは、既存のショップサイトにおいて、既に一般的に実施されている手法であり、本発明で新たに創作されたものではない。
【００３６】
購買者（登録会員４）が、どこにいてもショップサイトにアクセスすることができるように、ショップサイトは、携帯電話でアクセス可能にするのが好ましい。
【００３７】
また、上述の例では、商品が出品される例のみを示したが、商品の出品の代わりに役務（サービス）の提供であっても差し支えない。例えば、宅配サービス、コンピュータウィルス検索サービス等は、需要を見込むことができる。
【００３８】
また、決済についても、クレジットカード払い、金融機関の口座引き落とし、商品を届ける配送業者による代金引替えサービス、プリペイド方式等、いかなる方法を採用しても差し支えない。
【００３９】
図１では、購買者（登録会員４）は、商品の購入代金をネットショップ経由で販売者（出品者３）へ支払う例を示したが、図６に示すように、ネットショップを介さずに、直に販売者（出品者３）へ支払うようにしてもよい。
【図面の簡単な説明】
【００４０】
【図１】本発明のネットショッピングシステムの概念図である。
【図２】本発明のネットショッピングシステムの作業手順の流れ図である。
【図３】ショップサイトに掲載する商品のデータの一覧表である。
【図４】ショップサイトに掲載を申し込んだ出品者の商品データの一覧表である。
【図５】ショップサイトが受け付けた商品をカテゴリ別に分類した一覧表である。
【図６】図１のネットショッピングシステムとは構成が一部相違するネットショッピングシステムの概念図である。
【符号の説明】
【００４１】
１  ネットショッピングシステム
２  ウェブサーバ
３  出品者
４  登録会員
５  インターネット
６  記録媒体
７  演算手段（掲載権設定手段、分類手段）
【図１】
2007122322.tif 000003
【図２】
2007122322.tif 000004
【図３】
2007122322.tif 000005
【図４】
2007122322.tif 000006
【図５】
2007122322.tif 000007
【図６】
2007122322.tif 000008